(57)【要約】【課題】電子機器に内蔵される二次電池に対する充電が行われる際に、二次電池の充電に用いられる端子と当該端子の周辺の導電体との間の短絡による電子機器の破損を防止する。【解決手段】電子機器は、電源アダプタから電力の供給を受け、二次電池に充電を行う間、充電タイマ時間ｔ８だけ充電を行った後、停止タイマ時間ｔ９だけ充電を停止する、という動作を繰り返す。電源アダプタは、電子機器に電力の供給を行う間、保護タイマ時間ｔ６（ｔ８＜ｔ６）が経過する前に出力端子から電子機器へと流れる電流が閾値ａ１未満の値まで低下した後、停止タイマ時間ｔ９の経過後に閾値ａ２を超過する値まで上昇した場合、電子機器への電力の供給を継続しつつ、保護タイマ時間ｔ６の計時をリセットの後に繰り返す。一方、保護タイマ時間ｔ６が経過する前に電流が閾値ａ１未満の値まで低下しない場合、電源アダプタは電子機器への電力供給を停止する。【選択図】図１０
2016015807.tif 000002
【特許請求の範囲】
【請求項１】
電子機器に電力を供給するための端子と、
前記端子に電圧を印加することにより前記端子に接続された電子機器に電力を供給する電力供給手段と、
前記電力供給手段から前記端子に接続された電子機器へと流れる電流を計測する電流計と、
計時を行うタイマと
を備え、
前記電力供給手段は、前記端子に電圧を印加している状態において、基準時刻から所定時間が経過する前に前記端子に接続された電子機器へと流れる電流が所定の閾値未満に低下した場合、当該低下の時刻以降の時刻へ前記基準時刻を変更するとともに前記端子に対する電圧の印加を継続する、という処理を、前記端子に接続された電子機器へと流れる電流が所定の閾値未満に低下することなく前記基準時刻から前記所定時間が経過するまで繰り返し、前記端子に接続された電子機器へと流れる電流が所定の閾値未満に低下することなく前記基準時刻から前記所定時間が経過した場合、前記端子に対する電圧の印加を停止する
ことを特徴とする電力供給装置。
【請求項２】
前記電力供給手段は、前記端子に接続された電子機器に対する電力の供給の開始タイミングから開始する第１の期間において用いる前記所定時間よりも、前記第１の期間に後続する第２の期間において用いる前記所定時間を長くする
ことを特徴とする請求項１に記載の電力供給装置。
【請求項３】
前記所定時間を第１の所定時間とするとき、前記電力供給手段は、前記端子に電圧を印加している状態において、前記端子に接続された電子機器へと流れる電流が前記所定の閾値未満に低下した状態が前記第１の所定時間とは異なる第２の所定時間を超えて継続した場合、前記端子に対する電圧の印加を停止する
ことを特徴とする請求項１または２に記載の電力供給装置。
【請求項４】
前記端子に接続された電子機器へと流れる電流が所定の閾値未満に低下することなく前記基準時刻から前記所定時間が経過したことにより前記端子に対する電圧の印加が停止された場合に、所定の通知を行う通知手段を備える
ことを特徴とする請求項１乃至３のいずれか１項に記載の電力供給装置。
【請求項５】
電力供給装置から供給される電力を受容するための端子と、
二次電池と、
前記端子を介して供給される電力を前記二次電池に充電する充電手段と、
計時を行うタイマと
を備え、
前記充電手段は、前記二次電池に対する充電を開始した後、第１の所定時間の経過毎に第２の所定時間だけ前記二次電池に対する充電を停止する、という処理を、前記二次電池に対する充電が完了するまで繰り返す
ことを特徴とする電子機器。
【請求項６】
前記充電手段は、前記二次電池に対する充電の開始タイミングから開始する第１の期間において用いる前記第１の所定時間よりも、前記第１の期間に後続する第２の期間において用いる前記第１の所定時間を長くする
ことを特徴とする請求項５に記載の電子機器。
【請求項７】
請求項１乃至４のいずれか１項に記載の電力供給装置と、前記電力供給装置から供給される電力を受容する請求項５または６に記載の電子機器とを備え、
前記電力供給装置の前記電力供給手段が用いる前記所定時間は、前記電子機器の前記充電手段が用いる前記第１の所定時間よりも長い
ことを特徴とする充電システム。
【請求項８】
電力供給装置から供給される電力を受容するための端子と、
二次電池と、
前記端子を介して供給される電力を前記二次電池に充電する充電手段と、
計時を行うタイマと
を備えるコンピュータに、
前記充電手段による前記二次電池に対する充電が開始された後、第１の所定時間の経過毎に第２の所定時間だけ前記二次電池に対する充電を停止させる、という処理を、前記二次電池に対する充電が完了するまで繰り返し実行させる
ためのプログラム。
【発明の詳細な説明】
【技術分野】
【０００１】
本発明は、電子機器における短絡に起因する電子機器の破損を防止する技術に関する。
【背景技術】
【０００２】
電子機器における短絡は、電子機器の破損を招く場合がある。そこで、短絡による電子機器の破損を防止する技術が提案されている。
【０００３】
例えば、特許文献１には、インバータにおいて１次巻線に流れる電流値の計測のために用いられる抵抗の電圧を閾値と比較することにより、当該抵抗の端子間のショートを検出する仕組みが提案されている。
【０００４】
また、例えば特許文献２には、スイッチ素子に印加されている電圧が閾値より高い状態が所定時間以上、継続した場合に、スイッチ素子への印加を停止することにより、スイッチ素子を駆動する電子回路が過電流により破損することを回避する仕組みが提案されている。
【先行技術文献】
【特許文献】
【０００５】
【特許文献１】特開２０１３−１５０４５６号公報
【特許文献２】特開２０１３−３４３８４号公報
【発明の概要】
【発明が解決しようとする課題】
【０００６】
携帯電子機器の多くは内蔵する二次電池から電力の供給を受ける。携帯電子機器に内蔵される二次電池に有線で充電する場合、携帯電子機器の筐体の外側に露出している端子に外部の電源が電気的に接続される。二次電池の充電に用いられる携帯電子機器の端子が、当該端子の近辺の導電体と短絡していると、二次電池の充電時に外部の電源から供給される電力の一部が当該端子の近辺の導電体に供給され、導電体や短絡経路が発熱し、携帯電子機器の破損がもたらされる危険性がある。
【０００７】
近年、充電に用いられる端子を不使用時に覆うキャップを備えない携帯電子機器が増えている。また、防水機能を謳う携帯電子機器が増えてきている。その結果、携帯電子機器の端子が水やこぼした飲み物、ユーザの汗等の異物を介して端子周辺の導電体と短絡してしまう危険性が高まっている。
【０００８】
本発明は、上記の事情に鑑み、電子機器に内蔵される二次電池に対する充電が行われる際に、二次電池の充電に用いられる端子と当該端子の周辺の導電体との間の短絡による電子機器の破損を防止する手段を提供することを目的とする。
【課題を解決するための手段】
【０００９】
上述した課題を解決するため、本発明は、電子機器に電力を供給するための端子と、前記端子に電圧を印加することにより前記端子に接続された電子機器に電力を供給する電力供給手段と、前記電力供給手段から前記端子に接続された電子機器へと流れる電流を計測する電流計と、計時を行うタイマとを備え、前記電力供給手段は、前記端子に電圧を印加している状態において、基準時刻から所定時間が経過する前に前記端子に接続された電子機器へと流れる電流が所定の閾値未満に低下した場合、当該低下の時刻以降の時刻へ前記基準時刻を変更するとともに前記端子に対する電圧の印加を継続する、という処理を、前記端子に接続された電子機器へと流れる電流が所定の閾値未満に低下することなく前記基準時刻から前記所定時間が経過するまで繰り返し、前記端子に接続された電子機器へと流れる電流が所定の閾値未満に低下することなく前記基準時刻から前記所定時間が経過した場合、前記端子に対する電圧の印加を停止することを特徴とする電力供給装置を提案する。
【００１０】
上記の電力供給装置において、前記電力供給手段は、前記端子に接続された電子機器に対する電力の供給の開始タイミングから開始する第１の期間において用いる前記所定時間よりも、前記第１の期間に後続する第２の期間において用いる前記所定時間を長くする、という構成が採用されてもよい。
【００１１】
また、上記の電力供給装置において、前記所定時間を第１の所定時間とするとき、前記電力供給手段は、前記端子に電圧を印加している状態において、前記端子に接続された電子機器へと流れる電流が前記所定の閾値未満に低下した状態が前記第１の所定時間とは異なる第２の所定時間を超えて継続した場合、前記端子に対する電圧の印加を停止する、という構成が採用されてもよい。
【００１２】
また、上記の電力供給装置において、前記端子に接続された電子機器へと流れる電流が所定の閾値未満に低下することなく前記基準時刻から前記所定時間が経過したことにより前記端子に対する電圧の印加が停止された場合に、所定の通知を行う通知手段を備える、という構成が採用されてもよい。
【００１３】
また、本発明は、電力供給装置から供給される電力を受容するための端子と、二次電池と、前記端子を介して供給される電力を前記二次電池に充電する充電手段と、計時を行うタイマとを備え、前記充電手段は、前記二次電池に対する充電を開始した後、第１の所定時間の経過毎に第２の所定時間だけ前記二次電池に対する充電を停止する、という処理を、前記二次電池に対する充電が完了するまで繰り返すことを特徴とする電子機器を提案する。
【００１４】
上記の電子機器において、前記充電手段は、前記二次電池に対する充電の開始タイミングから開始する第１の期間において用いる前記第１の所定時間よりも、前記第１の期間に後続する第２の期間において用いる前記第１の所定時間を長くする、という構成が採用されてもよい。
【００１５】
また、本発明は、上記のいずれかの電力供給装置と、当該電力供給装置から供給される電力を受容する上記のいずれかの電子機器とを備え、前記電力供給装置の前記電力供給手段が用いる前記所定時間は、前記電子機器の前記充電手段が用いる前記第１の所定時間よりも長いことを特徴とする充電システムを提案する。
【００１６】
また、本発明は、電力供給装置から供給される電力を受容するための端子と、二次電池と、前記端子を介して供給される電力を前記二次電池に充電する充電手段と、計時を行うタイマとを備えるコンピュータに、前記充電手段による前記二次電池に対する充電が開始された後、第１の所定時間の経過毎に第２の所定時間だけ前記二次電池に対する充電を停止させる、という処理を、前記二次電池に対する充電が完了するまで繰り返し実行させるためのプログラムを提案する。
【発明の効果】
【００１７】
本発明によれば、電子機器に内蔵の二次電池に電力供給装置から供給される電力が充電される間、定期的に電子機器の充電に用いられる端子と当該端子の周辺の導電体との間に短絡が生じているか否かの確認が行われ、短絡が生じていれば電力供給装置から電子機器に対する電力供給が停止する。その結果、短絡が生じている状況下における二次電池の充電が所定時間を超えて継続することが回避され、電子機器の破損が防止される。
【図面の簡単な説明】
【００１８】
【図１】一実施形態にかかる充電システムの構成を示した図。
【図２】一実施形態にかかる電子機器のハードウェア構成を例示した図。
【図３】一実施形態にかかる電源アダプタの処理（待機モード）のフローを示した図。
【図４】一実施形態にかかる電子機器の処理のフロー（待機モード）を示した図。
【図５】一実施形態にかかる電源アダプタが印加する電圧と電子機器に流れる電流のタイムチャート（待機モード、未接続時）を示した図。
【図６】一実施形態にかかる電源アダプタが印加する電圧と電子機器に流れる電流のタイムチャート（待機モード、接続時）を示した図。
【図７】一実施形態にかかる電源アダプタの処理（充電モード）のフローを示した図。
【図８】一実施形態にかかる電子機器の処理（充電モード）のフローを示した図。
【図９】一実施形態にかかる電源アダプタが印加する電圧と電子機器に流れる電流のタイムチャート（充電モード、正常時）を示した図。
【図１０】一実施形態にかかる電源アダプタが印加する電圧と電子機器に流れる電流のタイムチャート（充電モード、短絡発生時）を示した図。
【発明を実施するための形態】
【００１９】
［実施形態］
以下に、本発明の一実施形態にかかる充電システム１を説明する。図１は、充電システム１の構成を示した図である。充電システム１は、電源９から供給される電力を用いて、電子機器１２に電力を供給する電源アダプタ１１と、電源アダプタ１１から電力の供給を受ける電子機器１２を備える。
【００２０】
電源アダプタ１１は、電源９から供給される電力を受容する入力端子１１１と、電子機器１２に電力を供給するための出力端子１１２（端子の一例）と、入力端子１１１を介して電源９から供給される電力を用いて出力端子１１２に定格の電圧を印加することにより出力端子１１２に接続された電子機器１２に電力を供給する電力供給部１１３（電力供給手段の一例）と、計時を行うタイマ１１４（タイマの一例）と、出力端子１１２を介して電力供給部１１３から電子機器１２へと流れる電流を計測する電流計１１５（電流計の一例）と、電子機器１２への電力の供給を異常停止（後述）した場合に所定の態様で点灯または点滅することによりユーザに対し異常停止の通知を行うランプ１１６（通知手段の一例）を備える。なお、電源アダプタ１１は電子機器１２へ電力を供給する電力供給装置の一例であって、定格の電圧を供給可能であれば、例えば交流・直流間の変換、変圧、整流等のアダプタ機能を備えない電力供給装置が電源アダプタ１１に代えて採用されてもよい。
【００２１】
なお、電力供給部１１３は、電源９から供給される電力に対し、必要に応じてＡＣ／ＤＣ変換やＤＣ／ＤＣ変換等を施した後、当該電力を電子機器１２に対し供給する。
【００２２】
電子機器１２は、電源アダプタ１１から供給される電力を受容するための端子１２１（端子の一例）と、二次電池１２２（二次電池の一例）と、充電部１２３（充電手段の一例）と、計時を行うタイマ１２４（タイマの一例）を備える。充電部１２３は、二次電池１２２に対する充電を行う回路である充電回路１２３１と、充電回路１２３１を制御する制御部１２３２を備える。
【００２３】
図２は、電子機器１２のハードウェア構成を例示した図である。図２に例示の電子機器１２は、二次電池１２２を内蔵するコンピュータであり、タブレット型ＰＣ、ノート型ＰＣ、スマートフォン、携帯ゲーム機等、その種別は限定されない。
【００２４】
電子機器１２は、既述の端子１２１、二次電池１２２、タイマ１２４、充電回路１２３１に加え、ＯＳ、アプリケーションプログラム、ユーザデータ等の各種データを記憶するとともにプログラムの実行時に作業領域として用いられるメモリ１００と、メモリ１００に記憶されているプログラムに従い各種データ処理を行うＣＰＵ等のプロセッサ１０１を備える。本実施形態において、制御部１２３２は、プロセッサ１０１がメモリ１００に記憶されているアプリケーションプログラムに従う処理を実行することにより実現される。ただし、制御部１２３２が論理集積回路等のハードウェアにより実現されてもよい。
【００２５】
充電システム１は、待機モードと充電モードの２つの動作モードのいずれかで動作する。待機モードは、電源アダプタ１１が電源９に接続された後、電子機器１２が電源アダプタ１１に接続されて短絡が生じていないことの確認が完了するまでの動作モードである。また、充電モードは、短絡が生じていないことの確認が完了した後、充電の完了（または電子機器１２と電源アダプタ１１の接続の解除）までの動作モードである。
【００２６】
図３は、待機モードにおける電源アダプタ１１の処理のフローを示した図である。待機モードの電源アダプタ１１の動作は、電源９に対する電源アダプタ１１の接続をトリガに開始される。待機モードにおいて、電源アダプタ１１の電力供給部１１３は、まず、電流計１１５が計測する電流の立ち上がり（後述）の回数をカウントするカウンタｉを「０」で初期化する（Ｓ１０１）。続いて、電力供給部１１３は、出力端子１１２に対する電圧の印加を開始するとともに、タイマ１１４に待機タイマ時間ｔ１をセットして計時を開始させる（Ｓ１０２）。
【００２７】
続いて、電力供給部１１３は、電流計１１５が計測する電流が閾値ａ１未満の値から閾値ａ２（ただし、ａ１＜ａ２）を超過する値へ変化（以下、この変化を「立ち上がり」という）したかを判定する（Ｓ１０３）。Ｓ１０３の判定において立ち上がりが検出されない場合（Ｓ１０３；Ｎｏ）、電力供給部１１３は待機タイマ時間ｔ１の経過を判定する（Ｓ１０４）。待機タイマ時間ｔ１が経過していない場合（Ｓ１０４；Ｎｏ）、電力供給部１１３は処理をＳ１０３に戻す。一方、待機タイマ時間ｔ１が経過した場合（Ｓ１０４；Ｙｅｓ）、電力供給部１１３は出力端子１１２に対する電圧の印加を停止するとともに、タイマ１１４に停止タイマ時間ｔ２をセットして計時を開始させる（Ｓ１０５）。
【００２８】
続いて、電力供給部１１３は停止タイマ時間ｔ２の経過を判定する（Ｓ１０６）。停止タイマ時間ｔ２が経過していない場合（Ｓ１０６；Ｎｏ）、電力供給部１１３は所定時間間隔でＳ１０６の判定を繰り返す。一方、停止タイマ時間ｔ２が経過した場合（Ｓ１０６；Ｙｅｓ）、電力供給部１１３は処理をＳ１０２に戻す。
【００２９】
Ｓ１０３の判定において、立ち上がりが検出された場合（Ｓ１０３；Ｙｅｓ）、電力供給部１１３はカウンタｉに「１」を加算した後（Ｓ１０７）、カウンタｉが定数ｃ（以下、例としてｃ＝４とする）であるかを判定する（Ｓ１０８）。カウンタｉがｃでない場合（Ｓ１０８；Ｎｏ）、電力供給部１１３は処理をＳ１０２に戻す。一方、カウンタｉがｃである場合（Ｓ１０８；Ｙｅｓ）、電力供給部１１３は待機モードの動作を終了し、動作モードを充電モードに切り替える。
【００３０】
図４は、待機モードにおける電子機器１２の処理のフローを示した図である。待機モードの電子機器１２の動作は、電源アダプタ１１に対する電子機器１２の接続をトリガに開始される。待機モードにおいて、電子機器１２制御部１２３２は、まず、タイマ１２４に遷移タイマ時間ｔ３をセットして計時を開始させる（Ｓ２０１）。続いて、制御部１２３２は、充電回路１２３１に充電を開始させるとともに、タイマ１２４に充電タイマ時間ｔ４をセットして計時を開始させる（Ｓ２０２）。
【００３１】
続いて、制御部１２３２は、充電タイマ時間ｔ４の経過を判定する（Ｓ２０３）。充電タイマ時間ｔ４が経過していない場合（Ｓ２０３；Ｎｏ）、制御部１２３２は所定時間間隔でＳ２０３の判定を繰り返す。一方、充電タイマ時間ｔ４が経過した場合（Ｓ２０３；Ｙｅｓ）、制御部１２３２は充電回路１２３１に充電を停止させるとともに、タイマ１２４に停止タイマ時間ｔ５をセットして計時を開始させる（Ｓ２０４）。
【００３２】
続いて、制御部１２３２は、停止タイマ時間ｔ５の経過を判定する（Ｓ２０５）。停止タイマ時間ｔ５が経過していない場合（Ｓ２０５；Ｎｏ）、制御部１２３２は所定時間間隔でＳ２０５の判定を繰り返す。一方、停止タイマ時間ｔ５が経過した場合（Ｓ２０５；Ｙｅｓ）、制御部１２３２はＳ２０１でセットした遷移タイマ時間ｔ３の経過を判定する（Ｓ２０６）。遷移タイマ時間ｔ３が経過していない場合（Ｓ２０６；Ｎｏ）、制御部１２３２は処理をＳ２０２に戻す。一方、遷移タイマ時間ｔ３が経過した場合（Ｓ２０６；Ｙｅｓ）、制御部１２３２は待機モードの動作を終了し、動作モードを充電モードに切り替える。
【００３３】
図３に示したフローに従い、電子機器１２が電源アダプタ１１に接続されるまでの間、電源アダプタ１１の電力供給部１１３は出力端子１１２に対し、図５のタイムチャートに示す電圧の印加を行う。すなわち、電力供給部１１３は電源アダプタ１１が電源９に接続されると、待機タイマ時間ｔ１だけ出力端子１１２に電圧の印加を行った後、停止タイマ時間ｔ２だけ出力端子１１２に対する電圧の印加を停止する、という動作を繰り返す。待機タイマ時間ｔ１は、例えば５秒程度の時間であり、停止タイマ時間ｔ２は例えば２秒程度の時間である。
【００３４】
待機モードにおいて、電子機器１２に対する充電が行われていない間、出力端子１１２に対する電圧の印加が図５に示されるように間欠的に行われる結果、例えば充電が完了した電子機器１２が電源アダプタ１１に接続された状態等において、仮に端子１２１とその周辺の導電体との間に短絡が生じても、電子機器１２の発熱が抑制される。
【００３５】
また、電子機器１２が電源アダプタ１１に接続された後、電源アダプタ１１が図３に示したフローに従い動作し、電子機器１２が図４に示したフローに従い動作する結果、電力供給部１１３の出力端子１１２に対する電圧の印加と、電流計１１５が計測する電流は、図６に示すタイムチャートのようになる。
【００３６】
すなわち、電子機器１２が電源アダプタ１１に接続されると、出力端子１１２には充電タイマ時間ｔ４だけ閾値ａ２を超過する電流が流れた後、電流がほとんど流れない（閾値ａ１未満）状態が停止タイマ時間ｔ５だけ継続する、という状態変化が定数ｃより１少ない数だけ繰り返される。充電タイマ時間ｔ４は、例えば３秒程度の時間であり、停止タイマ時間ｔ５は例えば１秒程度の時間である。
【００３７】
その後、充電モードに移行し、出力端子１１２には閾値ａ２を超過する電流が継続的に流れることになる。また、電子機器１２が電源アダプタ１１に接続されると、電力供給部１１３は出力端子１１２に対し継続的に電圧の印加を行う。これは、電流計１１５が計測する電流が、待機タイマ時間ｔ１の経過前に立ち上がることにより、待機タイマ時間ｔ１のリセットが行われるためである。
【００３８】
電子機器１２が電源アダプタ１１に接続される前に短絡が生じていた場合や、接続の直後の期間（遷移タイマ時間ｔ３の経過前）に短絡が生じた場合、電流計１１５が計測する電流が、停止タイマ時間ｔ５の期間において閾値ａ１より下回らず、待機タイマ時間ｔ１の経過前に十分な立ち上がりが検出されないことになる。その結果、電源アダプタ１１は充電モードに切り替わらず、図５に示される間欠的な電圧の印加を繰り返すことになる。その場合、短絡している電子機器１２に対し電源アダプタ１１から電圧の印加が行われることになるが、間欠的に行われるため、電子機器１２における発熱が抑制され、破損が回避される。
【００３９】
続いて、充電モードにおける充電システム１の動作を説明する。図７は、充電モードにおける電源アダプタ１１の処理のフローを示した図である。充電モードにおいて、電力供給部１１３は、まず、タイマ１１４に保護タイマ時間ｔ６をセットして計時を開始させるとともに、出力端子１１２に対する電圧の印加を継続する（Ｓ３０１）。
【００４０】
続いて、電力供給部１１３は、電流計１１５が計測する電流が、閾値ａ２を超過する値から閾値ａ１未満の値へと変化（以下、この変化を「立ち下がり」という）したかを判定する（Ｓ３０２）。Ｓ３０２において立ち下がりが検出されない場合（Ｓ３０２；Ｎｏ）、電力供給部１１３は保護タイマ時間ｔ６の経過を判定する（Ｓ３０３）。保護タイマ時間ｔ６が経過していない場合（Ｓ３０３；Ｎｏ）、電力供給部１１３は処理をＳ３０２に戻す。Ｓ３０２において立ち下がりが検出された場合（Ｓ３０２；Ｙｅｓ）、電力供給部１１３はタイマ１１４に充電停止検出タイマ時間ｔ７をセットして計時を開始させる（Ｓ３０４）。
【００４１】
続いて、電力供給部１１３は、電流の立ち上がりがあったかを判定する（Ｓ３０５）。電流の立ち上がりが検出された場合（Ｓ３０５；Ｎｏ）、電力供給部１１３は処理をＳ３０１に戻す。これにより、電力供給部１１３は出力端子１１２に対する電圧の印加を継続することになる。
【００４２】
一方、Ｓ３０５において、電流の立ち上がりが検出されない場合（Ｓ３０５；Ｎｏ）、電力供給部１１３は充電停止検出タイマ時間ｔ７の経過を判定する（Ｓ３０６）。充電停止検出タイマ時間ｔ７が経過していない場合（Ｓ３０６；Ｎｏ）、電力供給部１１３は処理をＳ３０５に戻す。一方、充電停止検出タイマ時間ｔ７が経過した場合（Ｓ３０６；Ｙｅｓ）、電力供給部１１３は動作モードを待機モードに切り替える。充電停止検出タイマ時間ｔ７が経過する場合とは、通常、電子機器１２の充電が完了した場合か、電子機器１２の電源アダプタ１１に対する接続が解除された場合である。そのような場合、電源アダプタ１１は待機モードに移行し、図５に示したような電圧の印加を継続することになる。
【００４３】
Ｓ３０３において、保護タイマ時間ｔ６が経過した場合（Ｓ３０３；Ｙｅｓ）、電力供給部１１３は出力端子１１２に対する電圧の印加を停止するとともに、ランプ１１６に異常停止を示す通知を開始させる（Ｓ３０７）。
【００４４】
図８は、充電モードにおける電子機器１２の処理のフローを示した図である。充電モードにおいて、制御部１２３２は、まず、充電回路１２３１に充電を継続させるとともに、タイマ１２４に充電タイマ時間ｔ８をセットして計時を開始させる（Ｓ４０１）。続いて、制御部１２３２は充電タイマ時間ｔ８の経過を判定する（Ｓ４０２）。充電タイマ時間ｔ８が経過していない場合（Ｓ４０２；Ｎｏ）、制御部１２３２は所定時間間隔でＳ４０２を繰り返す。一方、充電タイマ時間ｔ８が経過した場合（Ｓ４０２；Ｙｅｓ）、制御部１２３２は充電回路１２３１に充電を停止させるとともに、タイマ１２４に停止タイマ時間ｔ９をセットして計時を開始させる（Ｓ４０３）。
【００４５】
続いて、制御部１２３２は停止タイマ時間ｔ９の経過を判定する（Ｓ４０４）。停止タイマ時間ｔ９が経過していない場合（Ｓ４０４；Ｎｏ）、制御部１２３２は所定時間間隔でＳ４０４を繰り返す。一方、停止タイマ時間ｔ９が経過した場合（Ｓ４０４；Ｙｅｓ）、制御部１２３２は処理をＳ４０１に戻す。これにより、一時停止されていた充電が再開される。
【００４６】
上記のＳ４０１乃至Ｓ４０４の処理が行われる間に、充電回路１２３１は二次電池１２２が満充電になったかを所定時間間隔で判定する（Ｓ４０５）。満充電になった場合（Ｓ４０５；Ｙｅｓ）、充電回路１２３１は充電を停止し、電子機器１２は充電モードの動作を終了する。
【００４７】
充電モードにおいて、電源アダプタ１１が図７に示したフローに従い動作し、電子機器１２が図８に示したフローに従い動作する結果、電力供給部１１３の出力端子１１２に対する電圧の印加と、電流計１１５が計測する電流は、図９に示すタイムチャートのようになる。
【００４８】
すなわち、電流計１１５が計測する電流は、充電タイマ時間ｔ８だけ閾値ａ２を超過する値を維持した後、電流がほとんど流れない（閾値ａ１未満）状態が停止タイマ時間ｔ９だけ継続する、という状態変化が電子機器１２における充電完了（または電子機器１２の電源アダプタ１１に対する接続解除）のタイミングまで繰り返される。充電タイマ時間ｔ８は、待機モードにおける充電タイマ時間ｔ４よりずっと長い時間であり、例えば２５分程度の時間である。また、停止タイマ時間ｔ９は、待機モードにおける停止タイマ時間ｔ５と同程度の時間であり、例えば１秒程度の時間である。
【００４９】
また、充電モードにおいて、電力供給部１１３は出力端子１１２に対し、電子機器１２における充電完了（または電子機器１２の電源アダプタ１１に対する接続解除）の後に充電停止検出タイマ時間ｔ７が経過するタイミングまでの間、電圧を継続的に印加し、その後、待機モードに移行して、間欠的な電圧の印加を繰り返す。充電停止検出タイマ時間ｔ７は、停止タイマ時間ｔ９より十分に長い時間であればよく、例えば１０秒程度の時間である。充電モードにおいて、電子機器１２における充電完了まで出力端子１１２に対する電圧の印加が継続されるのは、電流計１１５が計測する電流が、保護タイマ時間ｔ６の経過前に立ち上がることにより、保護タイマ時間ｔ６のリセットが行われるためである。そのため、保護タイマ時間ｔ６は、充電タイマ時間ｔ８より長い時間である必要があり、例えば３０分程度の時間である。
【００５０】
充電システム１が充電モードで動作している間に、例えば電子機器１２の端子１２１にこぼれた飲み物がかかった等の理由により、端子１２１とその周辺の導電体との間で短絡が生じた場合、出力端子１１２に対する電圧の印加と、出力端子１１２を流れる電流は、図１０に示すタイムチャートのようになる。
【００５１】
すなわち、短絡が生じた後、電子機器１２において、制御部１２３２が充電回路１２３１に定期的に充電を停止させても、端子１２１とその周辺の導電体が短絡しているため、電源アダプタ１１から電子機器１２に対し閾値ａ１を超過する電流が流れ続けることになる。その結果、電源アダプタ１１の電力供給部１１３が電流の立ち上がりを検出できないまま、保護タイマ時間ｔ６が経過する。その結果、電力供給部１１３は出力端子１１２に対する電圧の印加を停止し、出力端子１１２から電子機器１２へ電流が流れなくなる。
【００５２】
上述したように、充電システム１によれば、電子機器１２が電源アダプタ１１に接続される際に電子機器１２の端子１２１の周辺に短絡が生じている場合、電源アダプタ１１から電子機器１２には間欠的な電圧の印加が行われるため、発熱が低減され、電子機器１２の破損が回避される。また、充電システム１によれば、電子機器１２が電源アダプタ１１に接続され、充電が開始された後に電子機器１２の端子１２１の周辺に短絡が生じた場合、電源アダプタ１１から電子機器１２への電力供給が、保護タイマ時間ｔ６を超えて継続することはない。そのため、仮に電子機器１２の充電中に短絡が生じても、電子機器１２の発熱による破損が回避される。
【００５３】
［変形例］
上述した充電システム１は本発明の一実施形態であって、本発明の技術的思想の範囲内において様々に変形することができる。以下にそれらの変形の例を示す。なお、上述した実施形態および下記の変形例の２以上が適宜組み合わされてもよい。
【００５４】
（１）上述した実施形態においては、電源アダプタ１１における待機タイマ時間ｔ１および保護タイマ時間ｔ６のリセットは、電流計１１５により計測される電流の立ち上がりのタイミングで行われる。これに代えて、電流計１１５により計測される電流の立ち下がりのタイミングがリセットのタイミングとして採用されてもよい。
【００５５】
（２）上述した実施形態においては、待機モードにおいて、短絡により電流計１１５が示す電流が十分な立ち上がり（または立ち下がり）を所定数繰り返して示さない場合、電源アダプタ１１は間欠的な電圧の印加を継続する。これに代えて、待機モードにおいて、充電モードと同様に、電流計１１５が示す電流が十分な立ち上がり（または立ち下がり）を示さない場合、電源アダプタ１１が電子機器１２に対する電圧の供給を停止する構成が採用されてもよい。
【００５６】
（３）上述した実施形態においては、電源アダプタ１１の電力供給が異常停止した場合、ユーザが電源アダプタ１１を使用するためには電源アダプタ１１と電源９の接続をいったん解除する必要がある。そのための手間を軽減するために、例えば電源アダプタ１１にユーザにより操作されるボタン等の操作子を備え、ユーザによる当該操作子に対する操作に応じて、電力供給部１１３が待機モードにおける動作を開始する構成が採用されてもよい。
【００５７】
（４）上述した実施形態の説明において用いた数値や動作のフローの細部はあくまで例示であって、様々に変更されてよい。
【符号の説明】
【００５８】
１…充電システム、９…電源、１１…電源アダプタ、１２…電子機器、１００…メモリ、１０１…プロセッサ、１１１…入力端子、１１２…出力端子、１１３…電力供給部、１１４…タイマ、１１５…電流計、１１６…ランプ、１２１…端子、１２２…二次電池、１２３…充電部、１２４…タイマ、１２３１…充電回路、１２３２…制御部
【図１】
2016015807.tif 000003
【図２】
2016015807.tif 000004
【図３】
2016015807.tif 000005
【図４】
2016015807.tif 000006
【図５】
2016015807.tif 000007
【図６】
2016015807.tif 000008
【図７】
2016015807.tif 000009
【図８】
2016015807.tif 000010
【図９】
2016015807.tif 000011
【図１０】
2016015807.tif 000012